(57)【要約】【課題】  本発明者は、拳法、空手、逮捕術などの徒手格闘技用の練習及び試合に使用する防具であって、従来の武道用防具で頻発していた衝撃や脳震盪などの負傷を防止して安全に使用することを課題とする。【解決手段】  打撃の衝撃を吸収するためのクッション部材が、硬質クッションシートと軟質クッションシートの多重層構造となっていることを特徴とし、面防具においては顔面を支持する顔面保護用のクッション部材と当該クッション部材の外部に取り付けるための保護構造部材とから構成される頭部保護用の面防具であって、額と両頬の三カ所で当該クッション部材を顔面に支持すると共に、当該クッション部材に固定したバンド部材によって頭部にクッション部材を強固に固定する構造を有していることを特徴とする。【選択図】  図１
2008012178.tif 000002
【特許請求の範囲】
【請求項１】
日本拳法、逮捕術、空手などの徒手格闘技用の練習及び試合に使用し、かつ打撃の衝撃を吸収するためのクッション部材を有する武道用防具において、当該クッション部材が硬質クッションシートと軟質クッションシートの多重層構造となっていることを特徴とする武道用防具。
【請求項２】
前記武道用防具が、顔面を支持する顔面保護用のクッション部材と当該クッション部材の外部に取り付けるための保護構造部材とから構成される頭部保護用の面防具であって、顔面における額と、両頬と、顎先端部を除く顎部との部分に接触して支持する様に構成された支持部材を、当該クッション部材と顔面との間に設置することを特徴とする、請求項１に記載の武道用防具。
【請求項３】
前記武道用防具が、顔面を支持する顔面保護用のクッション部材と当該クッション部材の外部に取り付けるための保護構造部材とから構成される頭部保護用の面防具であって、前記顔面における額と、両頬と、顎先端部を除く顎部との部分に接触して支持する様に構成された支持部材と、当該クッション部材とが接続部材によって強固に接合され、さらに当該保護構造部材と当該クッション部材とが連結部を介してゆるやかに連結されていることを特徴とする、請求項２に記載の武道用防具。
【請求項４】
前記武道用防具が、顔面を支持する顔面保護用のクッション部材と当該クッション部材の外部に取り付けるための保護構造部材とから構成される頭部保護用の面防具であって、前記顔面における額と、両頬と、顎先端部を除く顎部との部分に接触して支持する様に構成された支持部材が、額部分を支持する支持部材と、両頬と顎先端部を除く顎部との連続面を支持する支持部材とで構成されていることを特徴とする、請求項１乃至３に記載の武道用防具。
【請求項５】
前記武道用防具が、顔面を支持する顔面保護用のクッション部材と当該クッション部材の外部に取り付けるための保護構造部材とから構成される頭部保護用の面防具であって、前記、両頬と顎先端部を除く顎部との連続面を支持する支持部材が、基台の両端上部に両頬部分に接触する頬支持台と、顎先端以外の喉側外周部分に接触する顎外周支持台と、顎先端と面防具の保護構造部材との間に位置する隔壁台とを設置したものであり、さらに、該頬支持台と該隔壁台との間に側溝を設けたことを特徴とする、請求項１乃至４に記載の武道用防具
【請求項６】
前記支持部材が、袋状構造部材の内部に、硬質クッションシートと軟質クッションシートの少なくとも一つを含むクッションシートを内装した構造となっていることを特徴とする、請求項１乃至５に記載の武道用防具。
【請求項７】
前記武道用防具が、顔面を支持する顔面保護用のクッション部材と当該クッション部材の外部に取り付けるための保護構造部材とから構成される頭部保護用の面防具であって、前記保護構造部材が剛質の棒状材料で格子状に構成され、さらに当該格子状構造物の一部に伸縮調整部材を設置することによって、保護構造部材の幅を調整可能にしたことを特徴とする、請求項１乃至６に記載の武道用防具。
【請求項８】
前記徒手格闘技において面防具を装着した状態で格闘する際に使用する防具であって、クッション部材を、手の甲いわゆる手背部分を中心にしたドーム形状部分、あるいは手の平いわゆる手掌部分の１以上の部分に装入したグローブであることを特徴とする請求項１に記載の武道用防具。
【請求項９】
前記徒手格闘技において面防具を装着した状態で格闘する際に使用する防具であって、クッション部材を、足の甲を中心にしてドーム形状に装入したシューズであることを特徴とする請求項１に記載の武道用防具。
【請求項１０】
前記のクッション部材を構成する硬質クッションシートが、連続気泡或いは半連続気泡を有する有機高分子材料で構成された材料であり、かつ軟質クッションシートが、連続気泡を有する有機高分子材料で構成された材料であることを特徴とする請求項１乃至９に記載の武道用防具。
【請求項１１】
前記のクッション部材を構成する軟質クッションシートが、綿繊維、麻繊維、椰子殻チップ、ナイロン繊維、テトロン繊維、ポリエステル繊維、テフロン（登録商標）繊維、ポリウレタンスポンジ、連続気泡あるいは半連続気泡を有する有機高分子材料の１以上で構成された材料であることを特徴とする請求項１乃至１０に記載の武道用防具。
【発明の詳細な説明】
【技術分野】
【０００１】
本発明は日本拳法、逮捕術、空手等の徒手格闘技用の武道用防具に関するもので、詳しくは鉄鋼製の金属棒やプラスチック板材料などの硬質材料で構成された頭部保護用面防具と、その面防具を打撃するためのグローブと蹴撃するためのシューズを共に使用する武道用防具に関するものである。
【背景技術】
【０００２】
従来から使用されている日本拳法や逮捕術などの武道で使用されている面防具は、特に安全が必要な頭部を保護するものであり、金属棒で強固に構成された保護構造部材とその内側に木綿布袋に木綿綿を封入した衝撃吸収効果の低いクッション部材を固定したものである（非特許文献１〜４）。特に最近の製品としては、早川繊維工業製（九櫻）Ｒ２０８型日本拳法面、あるいは早川繊維工業（九櫻）Ｒ３００ＭＳＷ型日本拳法面などがある。
【０００３】
これらの面防具は代表的な寸法で作成した既製品のため、使用する個人が頭部や顔面の形状に合わせてタオルなどで面あてを作成し、額部分と顎部分を主たる支持部位として固定し使用していた。しかし、この様な使用状況であると、面防具の場合は顎を通して頭部にかかる負担が大きく、脳震盪、顎の付け根の間接脱臼、口内の裂傷、歯の損傷、顎の骨折等の傷害が発生する場合があった。ここで、発生する事故等は、個人の使用環境の不備を従来の面防具が吸収できないために起こるものであって、面防具自体の構造の不備で発生する事故でないことを追記しておく。
【０００４】
さらに、この面防具を打撃するために使用される日本拳法や逮捕術用の武道用グローブは、強固な保護構造部材を打撃する際に当該保護構造部材から伝わる集中荷重から手指を保護するために手の関節と手背部分へクッションシートなどを使用した早川繊維工業（九櫻）Ｒ２００Ｋ型拳法グローブなどが開発されている。
【０００５】
ところが、当該グローブは硬質クッションシートが使用中に劣化して弾力性を失い、衝撃吸収のための効果が薄れた状態になることがあった。さらに、硬質クッションシートと手の間には軟質クッションシートが設置されているが、拳頭及び手背部の間に１〜３ｃｍ厚の軟質クッションシートが設置されているのみで攻撃の際に打撃面として使用する手の全体部分を覆うことができていなかった。その結果、非被覆部分が存在するため、手背部、手掌部、手刀の側面部など、手の周囲全体を使って打撃を行う徒手格闘技の競技において、当該非被覆部分で面防具を打撃した際、特に手小指基節骨などに打撃力が集中した際には、クッションの効果が薄れ手指を骨折するという不具合を生じる可能性があった。
【０００６】
その他、関連の徒手格闘用の防具としては、例えば「ボクシング用グローブ」（特許文献１）、「ボクシンググローブ」（特許文献２）、「逮捕術用防具」（特許文献３）などが開示されている。
【０００７】
しかし、これらの武道用防具は、使用者に対する打撃時の衝撃を緩和し、訓練時の擦傷の発生を防止し、且つ軽量で使用者への負担の少ない防具を提供するものであるが、使用者の身体的特徴にあわせて形状を容易に適合させることができないものであり、使用者は拳保護用クッション材入りサポータや手保護用バンテージなどを併用して、身体形状に適合させることによって衝撃吸収を図っていた。さらに、当該武道用防具類は紐などによって締め付け固定することがほとんどであり、身体への装着や脱着に時間がかかるという不具合が生じていた。
【０００８】
【特許文献１】特開昭６０−１６８４７５号
【特許文献２】実用新案登録第３０００４６７号
【特許文献３】実用新案登録第３０６６５９３号
【非特許文献１】「日本拳法」澤山宗海著  毎日新聞社刊
【非特許文献２】「拳法教程」森良之祐著  原書房刊
【非特許文献３】「日本拳法教範I」石黒邦男著  圭文社刊
【非特許文献４】「絵説日本拳法」桟原富士男著  櫂歌書房刊
【発明の開示】
【発明が解決しようとする課題】
【０００９】
このような状況を鑑み、本発明者は、日本拳法、逮捕術、空手等の徒手格闘技用の武道用防具に関するもので、詳しくは鉄鋼製の金属棒やプラスチック板材料などの硬質材料で構成された頭部保護用面防具と、その面防具を打撃するためのグローブと蹴撃するためのシューズを共に使用する武道用防具において、従来の武道用防具と比べて安全、保護効果が持続、脱着が容易なものを提供することを課題とする。
【課題を解決するための手段】
【００１０】
本発明は、このような課題を解決するために、日本拳法、逮捕術、空手などの徒手格闘技用の練習及び試合に使用しかつ打撃の衝撃を吸収するためのクッション部材を有する武道用防具において成されたものであって、請求項１に記載の発明は、当該クッション部材１１が硬質クッションシートと軟質クッションシートの多重層構造となっていることを特徴とする。
【００１１】
硬質クッションシートと軟質クッションシートの多重層構造部材は、安全上の観点からクッション部材１１の厚さは１ｃｍ以上が望ましい。また、使用状態によってその厚みなどを自在に調節できるように、外周囲の布の人体部分との接触面の一部に開閉機構を有する開口部を設け、そこから追加でクッションシートを適宜、装入可能にしてもよい。また、別途、クッション部材１１の小部品をマジックテープ（登録商標）等で貼り付けて厚みを調整可能にしても良い。
【００１２】
さらに、請求項２に記載の発明は、請求項１に示す武道用防具において、顔面における額と、両頬と、顎先端部を除く顎部との部分に接触して支持する様に構成された支持部材を、当該クッション部材と顔面との間に設置することを特徴とする。
【００１３】
さらに、請求項３に記載の発明は、請求項２に記載の武道用防具において、前記顔面における額と、両頬と、顎先端部を除く顎部との部分に接触して支持する様に構成された支持部材と、当該クッション部材とが接続部材によって強固に接合され、さらに当該保護構造部材と当該クッション部材とが連結部を介してゆるやかに連結されていることを特徴とする。
【００１４】
さらに、請求項４に記載の発明は、請求項１乃至３に記載の武道用防具において、前記顔面における額と、両頬と、顎先端部を除く顎部との部分に接触して支持する様に構成された支持部材が、額部分を支持する支持部材と、両頬と顎先端部を除く顎部との連続面を支持する支持部材とで構成されていることを特徴とする。
【００１５】
さらに、請求項５に記載の発明は、請求項１乃至４に記載の武道用防具において、前記両頬と顎先端部を除く顎部との連続面を支持する支持部材が、基台の両端上部に両頬部分に接触する頬支持台と、顎先端以外の喉側外周部分に接触する顎外周支持台と、顎先端と面防具の保護構造部材との間に位置する隔壁台とを設置したものであり、さらに、該頬支持台と該隔壁台との間に側溝を設けたことを特徴とする。
【００１６】
さらに、請求項６に記載の発明は、請求項１乃至５に記載の武道用防具において、前記支持部材が、袋状構造部材の内部に、硬質クッションシートと軟質クッションシートの少なくとも一つを含むクッションシートを内装した構造となっていることを特徴とする。
【００１７】
前述した従来型の面防具は、クッション部材２１と保護構造部材２２とが強固に連結されたものであり、そのクッション部材２１によって、おもに前頭部(前頭骨)を中心とした頭部周囲と顎先端部(下顎骨)のおとがい部の２カ所で支持されるように、紐を介して保護構造部材２２と頭部を強固に固定していた。クッション部材２１は木綿袋に木綿綿を封入し板状に縫いつけた弾力性に乏しい特性であった。この状態で前方からの打撃を受けた場合、下顎先端部からおとがい部に強い衝撃が伝わり、顎関節へも負荷が強くかかる。また、側面からの打撃に対してはクッション部材２１の衝撃吸収力が低いために側頭部及び顎関節並びに頚椎への負荷が強くなるという欠点があった。
【００１８】
しかし本発明による面防具では、顔面における額と、両頬と、顎先端部を除く顎部との部分で支持するために、顎先端部を経由したおとがい部への衝撃を軽減することができる。さらに、軟質クッションシートを保護用構造部材と顔面に直面する面に設置して全体面の凹凸の変動を吸収し、その間に硬質クッションシートを設置しクッション部材全体の強度を増すことが好ましい。
【００１９】
さらに、本発明による面防具に装着する、前記両頬と顎先端部を除く顎部との連続面を支持する支持部材において、頬支持台８２に汗の吸収性を高めるために綿等の吸収部材を装入しても良い。さらに、顎先端以外の喉側外周部分に接触する顎外周支持台８３としては、衝撃を緩やかにかつ均一に吸収するために綿等の軟質の吸収部材を装入することが好ましい。さらに、顎先端と面防具の保護構造部材との間に位置する隔壁台８４は、競技の際に鋼線などで構成された面防具の保護構造部材と、顎先端部が衝突して顎を負傷することがないようにするために設置したものであり当該衝突を好適に回避するために、隔壁台３４には硬質のクッション部材を装入することが好ましい。さらに、該頬支持台８２と該隔壁台８４との間に側溝８５を設けて、不用意に当該支持部材が頬に食い込んで使用者に圧迫感を与えないようにすることが好ましい。
【００２０】
さらに、前記クッション部材１１と保護構造部材１２とが連結部１４を介して緩やかに連結されているため、保護構造部材１２が受けた振動や打撃の衝撃が縦横にずれることによって分散して軽減することが可能になり、人体頭部のおとがい部の負担をさらに軽減することが可能になる。
【００２１】
また、前述した従来型の武道用防具としての面防具においては、面防具を装着する時にタオル等の軟質材料を折り重ねて適当な厚みにして、当該クッション部材と顔面との間の空隙を無くする目的で装入していたが、打撃等による衝撃時の緩和効果は充分でなく打撃された時に大きな衝撃を体感していた。
【００２２】
しかし、本発明の面防具には、袋状構造部材の内部に適当な厚みのクッション材として低反発素材を装入した支持部材を使用するため、従来のタオル状のものと比べて耐久性が良く、低反発性を長期に維持することが可能である。さらに、当該支持部材と、クッション部材とが接触する部分にはマジックテープ（登録商標）等の接合部材を取り付けているため、簡単に装着できる。
【００２３】
さらに、請求項７に記載の発明は、請求項１乃至６に記載の武道用防具において、前記武道用防具が、顔面を支持する顔面保護用のクッション部材と当該クッション部材の外部に取り付けるための保護構造部材とから構成される頭部保護用の面防具であって、前記保護構造部材が剛質の棒状材料で格子状に構成され、さらに当該格子状構造物の一部に伸縮調整機構を設置することによって、保護構造部材の幅を調整可能にしたことを特徴とする。
【００２４】
競技者は、顔面を含めた頭部の大きさに個人差があるため、前記従来型の面防具において使用していたタオル等の軟質材料の使用を改善するために本発明において前記支持部材を開発してきた。しかし、当該個人差が大きい場合には、当該支持構造部材の効果的装着が困難な状況が生じていた。そこで、請求項７の発明に示すように面防具における保護構造部材が剛質の棒状材料で格子状に構成されている場合に、当該格子状構造物の一部に伸縮調整機構を設置することによって、保護構造部材の幅を調整可能にし、個人差を吸収することができ、当該支持部材を効果的に面防具に装着することができる。
【００２５】
さらに、請求項８に記載の発明は、請求項１に記載の武道用防具において、前記徒手格闘技において面防具を装着した状態で格闘する際に使用する防具であって、クッション部材４１を、手の甲いわゆる手背部分を中心にしたドーム形状部分に、あるいはクッション部材６１を手の平いわゆる手掌部分の１以上の部分に装入したグローブであることを特徴とする。
【００２６】
グローブの場合のクッション部材４１は、軟質クッションシート４２を手の甲に接触する面とグローブの表面部直下部とに設置して、その間に硬質クッションシート４３で構成することが好ましい。また、クッション部材６１は、軟質クッションシートを手掌に接触する面とグローブの表面部直下部とに設置して、その間に硬質クッションシートで構成することが好ましい。
【００２７】
前述した従来のグローブは、手の甲の上に軟質クッションシート５２を、打撃面直下に硬質クッションシート５３が設置されている。しかし、硬質クッションシート５３は打撃時の面防具からの応力が集中して荷重されるため劣化が激しくかつ弾力性を失うため衝撃吸収のための効果が薄れた状態になることがあった。この状態では、面防具を打撃した際に面防具の保護構造部材１２からの応力が、硬質クッションシート５３の劣化部分を介して軟質クッションシート４２を通過して手の甲に伝わる程度が増加する。
【００２８】
さらに、硬質クッションシート５３を手の甲に平面上に配置した状態であるため、直突きや横打ちなどの打撃を行うことによって手小指基節骨に打撃力が集中して面防具に衝突した際には、硬質クッションシート５３が配置されていないためにクッションの効果が薄れ手指を骨折するという不具合を生じる可能性があった。
【００２９】
しかし、本発明のグローブは硬質クッションシート４３の劣化を防止する目的で、その上層部に軟質クッションシート４２を配置した。これによって、面防具を打撃した際に面防具の保護構造部材１２から受ける衝撃を縦横の方向に広範囲に分散することができ、その結果、硬質クッションシート４３の劣化を防止することができる。打撃された相手も軟質クッションシート４２が最初に接触するので衝撃力が緩和される。
【００３０】
さらに請求項９に記載の発明は、請求項１に記載の武道用防具において、前記徒手格闘技において面防具を装着した状態で格闘する際に使用する防具であって、クッション部材を、足の甲を中心にしてドーム形状に装入したシューズであることを特徴とする。
【００３１】
当該シューズの形状にすることによって、蹴撃を加える面すなわち足の甲を中心とした部分に保護部材を設置することとなり、回し蹴りなどの技を加えて面防具を蹴撃した際に面金によって足の甲を負傷する場合が生じる可能性が少なくなる。
【００３２】
なお、日本拳法連盟競技規定の第七条（防具）において、面・胴（内胴＝胴当てを含む）、股当て、グローブ（バンテージを含む）を使用し、着衣、防具以外の物（肘当て、ひざ当て、すね当て、シューズその他加撃に有利とみなされるもの）は着装してはならない。但し、故障箇所に対する包帯、サポーター等はこの限りではないが、事前に当該審判員の了解を得ることにする、と規定されている。
【００３３】
しかし当該発明のシューズは、相手選手への打撃や蹴撃を増強し、相手選手への負担を増加させるものではなく、クッション部材を打撃や蹴撃部分に積極的に使用することによって、打撃や蹴撃を加えた側の者の安全を確保するとともに、打撃や蹴撃を加えられた者へ伝わる衝撃を分散させかつ軽減させることができるものであり、充分にこの規定に沿うものであると確信するものである。
【００３４】
さらに請求項１０に記載の発明は、請求項１乃至９に記載の武道用防具において、前記のクッション部材を構成する硬質クッションシートが、連続気泡或いは半連続気泡を有する有機高分子材料で構成された材料であり、かつ軟質クッションシートが、連続気泡を有する有機高分子材料で構成された材料であることを特徴とする。
【００３５】
さらに請求項１１に記載の発明は、請求項１乃至１０に記載の武道用防具において、さらに、請求項８に記載の発明は、前記のクッション部材を構成する軟質クッションシートが、綿繊維、麻繊維、椰子殻チップ、ナイロン繊維、テトロン繊維、ポリエステル繊維、テフロン（登録商標）繊維、ポリウレタンスポンジ、連続気泡あるいは半連続気泡を有する有機高分子材料の１以上で構成された材料であることを特徴とする。
【００３６】
この様な材料は、汗や温度などの使用条件で劣化することが少なく、抗菌抗黴効果も優れており、防具が長持ちする。さらに、従来の部品と比べてより衝撃を吸収することが可能になる。さらに、嵩密度が小さいため軽量化が図れると言う効果がある。
【発明の効果】
【００３７】
以上のように、本発明は、日本拳法、逮捕術、空手等の徒手格闘技用の武道用防具において、鉄鋼製の金属棒やプラスチック板材料などの硬質材料で構成された頭部保護用面防具を含む武道用防具に関して、長時間、かつ安定な装着状態を実現し競技者への過度の負傷を防止することができるという優れた効果を有している。
【発明を実施するための最良の形態】
【００３８】
本発明の実施形態は日本拳法、逮捕術、空手等の徒手格闘技用の武道用防具に関するもので、詳しくは鉄鋼製の金属棒やプラスチック板材料などの硬質材料で構成された頭部保護用面防具と、その面防具を打撃するためのグローブ、蹴撃するためのシューズを共に使用する武道用防具に関するものとして実施されるものである。
【００３９】
特に、面防具の保護構造部材が金属鋼線で構成されている日本拳法および逮捕術の競技用の防具に関して実施される。
【実施例】
【００４０】
以下、具体的に図面に従って本発明からなる武道用防具について説明する。
【００４１】
（実施例１）
本実施例は、日本拳法用の面防具である。図１に概要を示す。
【００４２】
クッション部材１１として、１ｃｍ厚の（株）イノアックコーポレーション製の発泡ポリウレタン製の硬質クッションシートを面防具の保護構造部材１２と顔面に接触する面とに設置して、その間に１ｃｍ厚の（株）イノアックコーポレーション製製の発泡ポリウレタン製の軟質クッションシートを用いて多層構造とし、クッション部材１１を構成するように成型して周囲を布で覆ったものを製作した。日本拳法防具面の場合は保護構造部材１２が７ｍｍ、および８ｍｍの金属棒で構成された面防具を作成した。
【００４３】
なお、硬質クッションシートは半連続気泡型或いは連続気泡型スポンジとよばれているもので、材料内部に連続あるいは半連続した気泡が分散して弾力性と断熱性と軽量化を図っている。軟質クッションシートは、連続気泡型スポンジと呼ばれるもので、通気孔が連続して材料内部に形成されているもので、硬質クッションシートに比べてさらに柔軟性と、圧縮時からの復元性に富む材質である。
【００４４】
また、当該クッション部材１１の額内側に頭部固定用のバンド部材１３を頑強に固定した。さらに保護構造部材１２とクッション部材１１は皮革製の連結部１４を介して緩やかに軽く連結し、クッション部材１１に対して、保護構造部材１２がわずかに縦横に移動可能な構造にした。
【００４５】
実際に当該面防具を装着して徳島大学拳法部員と同部ＯＢの十数人が日本拳法の防具練習を行った結果、従来の面防具と比べて下顎のおとがい部を通じた衝撃を感じる度合いが格段に小さいという分析結果を得ることができた。日本拳法修練期間が２ヶ月以下の部員も防具練習に使用したが下顎のおとがい部に受ける衝撃が格段に小さくなり安全に練習出来るとの評価があった。
【００４６】
（実施例２）
本実施例は、日本拳法用の面防具のバンド部材先端に取り付ける交換可能な固定用部材である。［図３］に概要を示す。
【００４７】
固定用部材３１は、［図１］に示した面防具のバンド部材１３の先端に取り付けた。具体的には、固定用部材３１は、その一端をバンド部材１３と連結管３２を介して接続されている接続部３３と連結するように構成されている。接続部３３の内面と固定用部材３１の全面にはマジックテープ（登録商標）が装着されており、当該接続部３３を固定用部材３１に圧着することでつなぐことができる。
【００４８】
固定用部材３１のもう一方の端部にもマジックテープ（登録商標）が装着されており、この面で、面防具に装着されているクッション部材１１に圧着して頭部を固定することができる。
【００４９】
実際に本発明の固定用部材３１を用いて面防具を使用した結果、紐で何重にも固定する従来の面防具の装着方法と比較して、装着と取り外しがはるかにスムーズに短時間にできる上、劣化した固定用部材３１を新品と容易に交換できることが分かった。
【００５０】
（実施例３）
本実施例は、日本拳法用のグローブである。図４に概要を示す。
【００５１】
クッション部材４１の材質は実施例１と同様であるのでここでは詳細記述を省略する。本実施例のグローブは硬質クッションシート４３の劣化を防止する目的で、その上層部に軟質クッションシート４２を配置した。さらに、全体として手の甲に対してドーム形状にクッション部材４１を配置して、小指の外側を完全に保護する形状にしたことを大きな特徴とする。
【００５２】
徳島大学拳法部員が実際に打撃実験を行った結果、衝撃吸収、小指の完全保護、さらには軽量化の効果によって従来のグローブと比べて、衝撃を感じる度合いが格段に小さくなった。防具面に打撃を受けた側も従来の市販グローブに比べ衝撃が小さくなったとの評価を得ることができた。打撃音を観察者として聞いた場合にも柔らかい音になっており衝撃が小さくなったと判断できた。グローブ表面近くが従来品より柔らかく成った効果と考えられる。
【００５３】
（実施例６）
本実施例は、日本拳法用のシューズである。図７に概要を示す。
【００５４】
クッション部材７１の材質は実施例１および３と同様であるのでここでは詳細記述を省略する。本実施例のシューズは足の甲の部分に、足の甲の負傷を防止する目的でクッション部材７１を取り付けた。
【００５５】
徳島大学拳法部員が実際に蹴撃実験を行った結果、衝撃吸収、足の甲の完全保護、さらにはシューズと比べて、蹴撃を受ける側の衝撃を感じる度合いが格段に小さくなった。蹴撃音を観察者として聞いた場合にも柔らかい音になっており衝撃が小さくなったと判断できた。シューズの足の甲部分が従来品より柔らかく成った効果と考えられる。
【００５６】
（実施例４）
本実施例は、日本拳法用の面防具に取り付ける交換可能な支持部材である。図８に概要を示す。
【００５７】
両頬と顎先端部を除く顎部との連続面を支持する支持部材として、基台８１のための帆布性袋に、頬支持台８２として厚さ０．５ｃｍの軟質クッションシートを装入し、さらに汗の吸収性を高めるために綿を１ｃｍ敷き詰めた。さらに、顎先端以外の喉側外周部分に接触する顎外周支持台８３として、厚さ０．５ｃｍの軟質クッションシートの上部に、不必要な分散を防止する為の長さ２３ｃｍ幅６ｃｍの筒状布袋に綿を詰めて衝撃を緩やかにかつ均一に吸収する様に置いた。さらに、顎先端と面防具の保護構造部材との間に位置する隔壁台８４として、硬質のクッション部材を高さ１．５ｃｍ、幅２ｃｍ、長さ１１ｃｍ敷き詰めた。さらに、該頬支持台８２と該隔壁台３４との間に側溝８５を設けるために、基台３１に、ミシン縫いして、袋部分を密着させた。
【００５８】
実際に当該面防具に当該支持部材を装着して徳島大学拳法部員と同部ＯＢの十数人が日本拳法の防具練習を行った結果、従来の面防具と比べて下顎のおとがい部を通じた衝撃を感じる度合いが格段に小さく、さらに、面防具と顔面との密着性が良く、競技の際に不用意に面防具がずれることによる顎部分の負傷を完全に防止することができたという分析結果を得ることができた。日本拳法修練期間が２ヶ月以下の部員も防具練習に使用したが安全に練習出来るとの評価があった。
【００５９】
（実施例５）
本実施例は、日本拳法用の面防具の構造部材である。図９に概要を示す。
【００６０】
頭頂部に位置する二本の構造部材の片側を上からは６ｍｍ鋼線、下からは２ｍｍ鋼板を溶接して伸縮機構の差し込み口９１を作った。同じく頭頂部に位置する二本の構造部材の片側を構造部材と同じ鋼線で接続して差し込み口９１の幅より僅かに狭い差し込み部９２を作成した。差し込み口９１に差し込み部９２を通す事により幅の調整を可能にした。
【産業上の利用可能性】
【００６１】
本発明は、日本拳法、逮捕術、空手等の徒手格闘技用の武道用防具に関するもので、詳しくは鉄鋼製の金属棒やプラスチック板材料などの硬質材料で構成された頭部保護用面防具と、その面防具を打撃するためのグローブ、蹴撃するためのシューズを共に使用する武道用防具、並びにこれに関連するスポーツ競技における安全防具に対して広く利用できるものである。
【図面の簡単な説明】
【００６２】
【図１】一実施例としての面防具
【図２】従来技術としての面
【図３】一実施例としての固定用部材
【図４】一実施例としてのグローブ
【図５】従来技術としてのグローブ
【図６】一実施例としてのグローブ
【図７】一実施例としてのシューズ
【図８】一実施例としての面防具の支持部材
【図９】一実施例としての面防具の構造部材
【図１】
2008012178.tif 000003
【図２】
2008012178.tif 000004
【図３】
2008012178.tif 000005
【図４】
2008012178.tif 000006
【図５】
2008012178.tif 000007
【図６】
2008012178.tif 000008
【図７】
2008012178.tif 000009
【図８】
2008012178.tif 000010
【図９】
2008012178.tif 000011